(57)【要約】【課題】表示装置の表示モードを制御する。【解決手段】中継装置１０は、送信装置３０が送信する映像を表示するための表示装置２０に、映像伝送規格に従う信号線で接続されるポート１１と、ネットワークを介して送信装置３０に接続される通信ＩＦ１２と、表示装置２０の複数の表示モードを示す表示モードリスト４１をポート１１を介して取得する取得部１３と、取得部１３が取得した表示モードリスト４１から所定の表示モードを示す情報が除去された、１以上の表示モードを示す表示モードリスト４２を生成する生成部１４と、生成部１４が生成した表示モードリスト４２を通信ＩＦ１２を介して送信装置３０に提供する提供部４２とを備える。【選択図】図２
2019213189.tif 000002
【特許請求の範囲】
【請求項１】
送信装置が送信する映像を表示するための表示装置に、映像伝送規格に従う信号線で接続されるポートと、
ネットワークを介して前記送信装置に接続される通信インタフェースと、
前記表示装置の複数の表示モードを示す第一情報を前記ポートを介して取得する取得部と、
前記取得部が取得した前記第一情報から所定の表示モードを示す情報が除去された、１以上の表示モードを示す第二情報を生成する生成部と、
前記生成部が生成した前記第二情報を前記通信インタフェースを介して前記送信装置に提供する提供部とを備える
中継装置。
【請求項２】
前記提供部は、さらに、
（ａ）前記中継装置と前記表示装置との接続が切断されたことを疑似的に示す疑似切断信号を、前記通信インタフェースを介して前記送信装置に送信し、
（ｂ）前記疑似切断信号の送信後に、前記中継装置と前記表示装置との接続がなされたことを疑似的に示す疑似接続信号を、前記通信インタフェースを介して前記送信装置に送信し、
（ｃ）前記疑似接続信号の送信後に、前記第一情報又は前記第二情報を前記通信インタフェースを介して前記送信装置に提供する
請求項１に記載の中継装置。
【請求項３】
前記中継装置は、さらに、
ユーザによる操作を受け付ける第一受付部を備え、
前記提供部は、
前記第一受付部が前記操作を受け付けた場合に、前記疑似切断信号を送信する
請求項２に記載の中継装置。
【請求項４】
前記中継装置は、さらに、
前記送信装置により指定される指定表示モードを示す第三情報を前記送信装置から受け付ける第二受付部を備え、
前記生成部は、
前記第二受付部が前記第三情報を受け付けた場合に、前記第三情報が示す前記指定表示モードと異なる表示モードが前記所定の表示モードとして前記第一情報から除去された前記第二情報であって、前記指定表示モードを示す前記第二情報を生成し、
前記提供部は、
前記第二受付部が前記第三情報を受け付けた場合に、前記疑似切断信号を送信する
請求項２又は３に記載の中継装置。
【請求項５】
前記中継装置は、さらに、
複数の前記送信装置のうちの一の前記送信装置から、一の前記送信装置の識別子を含む要求信号を受け付ける第三受付部を備え、
前記生成部は、前記要求信号に含まれる一の前記送信装置の識別子に予め対応付けられた対応表示モードと異なる表示モードが前記所定の表示モードとして前記第一情報から除去された前記第二情報であって、前記対応表示モードを示す前記第二情報を生成し、
前記提供部は、
前記第三受付部が前記要求信号を受け付けた場合に、前記疑似切断信号を送信する
請求項２〜４のいずれか１項に記載の中継装置。
【請求項６】
前記中継装置は、さらに、
前記第二情報により示される前記１以上の表示モードのうち、前記送信装置が選択した表示モードの映像の映像データを前記通信インタフェースを介して受信し、受信した前記映像データを前記ポートを転送することで中継する中継部を備える
請求項１〜５のいずれか１項に記載の中継装置。
【請求項７】
前記複数の表示モードは、４Ｋ、及び、ＦｕｌｌＨＤを含み、
前記所定の表示モードは、４Ｋを含む
請求項１〜６のいずれか１項に記載の中継装置。
【請求項８】
請求項１〜７のいずれか１項に記載の中継装置と、
前記ポートに接続される前記表示装置と、
前記通信インタフェースに接続される前記送信装置とを備える
表示システム。
【請求項９】
送信装置が送信する映像を表示するための表示装置に、映像伝送規格に従う信号線で接続されるポートと、ネットワークを介して前記送信装置に接続される通信インタフェースとを備える中継装置の制御方法であって、
前記表示装置の複数の表示モードを示す第一情報を前記ポートを介して取得する取得ステップと、
前記取得ステップが取得した前記第一情報から所定の表示モードを示す情報が除去され
た、１以上の表示モードを示す第二情報を生成する生成ステップと、
前記生成ステップで生成した前記第二情報を前記通信インタフェースを介して前記送信装置に提供する提供ステップとを含む
制御方法。
【請求項１０】
請求項９に記載の制御方法をコンピュータに実行させるためのプログラム。
【発明の詳細な説明】
【技術分野】
【０００１】
本発明は、中継装置、表示システム、制御方法、及び、プログラムに関する。
【背景技術】
【０００２】
近年、４Ｋ又は４Ｋ２Ｋと呼ばれる比較的高い解像度の映像を表示することができる表示装置が普及している。また、ネットワーク技術の進歩により、映像をネットワークを介して送信する技術がある。
【０００３】
映像の解像度が上昇すると、一般に、映像をネットワークを介して送信する際の通信量の増大、及び、映像を送信又は受信する装置の処理負荷の増大を招く。また、解像度の他に、インターレス方式とプログレッシブ方式との別なども通信量に影響を与える。そのため、ネットワークを介して映像を送信する場合には、送信装置が、送信する映像の解像度等によって定まる表示モードを適切に調整することが行われている。
【０００４】
特許文献１は、マルチ表示システムのシステム構成に応じた解像度の映像信号を出力する出力装置に関する技術を開示している。特許文献１に記載された技術は、表示装置が表示し得る映像の解像度の設定情報を変更することで、出力装置から出力される映像の解像度を調整する技術である。
【先行技術文献】
【特許文献】
【０００５】
【特許文献１】特開２０１７−１６１３３号公報
【発明の概要】
【発明が解決しようとする課題】
【０００６】
しかしながら、表示装置が表示する映像の表示モードを変更すべく、送信装置又は表示装置の設定情報を変更することは、常になされ得るとは限らない。例えば、設定変更のために所定の管理権限が必要である送信装置又は表示装置に対して、管理権限を有しない者が設定変更することは不可能である。送信装置又は表示装置の設定変更の方法又はインタフェース等が不明であるために設定変更が不可能であることもある。また、送信装置又は表示装置の仕様又は不具合などによって、運用者の意図の通りに設定変更がなされないこともある。さらに、使用者が表示モードの変更の操作をするのが煩わしいと思うとき、又は、使用者に表示モードを変更する操作のスキルがないときにも設定変更が適切になされない。
【０００７】
このように、送信装置又は表示装置の設定変更の可否いかんなどによっては、送信装置が送信する通信量を制御することができない場合があるという問題がある。
【０００８】
本発明は、上記問題を解決するためになされたものであり、送信装置又は表示装置の設定変更の可否にかかわらず、表示装置の表示モードを制御する中継装置等を提供することを目的とする。
【課題を解決するための手段】
【０００９】
上記課題を解決するために、本発明の一態様に係る中継装置は、送信装置が送信する映像を表示するための表示装置に、映像伝送規格に従う信号線で接続されるポートと、ネットワークを介して前記送信装置に接続される通信インタフェースと、前記表示装置の複数の表示モードを示す第一情報を前記ポートを介して取得する取得部と、前記取得部が取得した前記第一情報から所定の表示モードを示す情報が除去された、１以上の表示モードを示す第二情報を生成する生成部と、前記生成部が生成した前記第二情報を前記通信インタフェースを介して前記送信装置に提供する提供部とを備える。
【００１０】
これによれば、中継装置は、表示装置が映像の表示に使用し得る複数の表示モードのうち、所定の表示モードを除く表示モードの映像データを送信装置が送信するように制御する。その結果、中継装置は、表示装置が所定の表示モードで映像を表示することを禁止することができる。また、この制御において、送信装置又は表示装置の設定情報を変更する必要はない。このように、中継装置は、送信装置又は表示装置の設定変更の可否にかかわらず、表示装置の表示モードを制御する。
【００１１】
また、前記提供部は、さらに、（ａ）前記中継装置と前記表示装置との接続が切断されたことを疑似的に示す疑似切断信号を、前記通信インタフェースを介して前記送信装置に送信し、（ｂ）前記疑似切断信号の送信後に、前記中継装置と前記表示装置との接続がなされたことを疑似的に示す疑似接続信号を、前記通信インタフェースを介して前記送信装置に送信し、（ｃ）前記疑似接続信号の送信後に、前記第一情報又は前記第二情報を前記通信インタフェースを介して前記送信装置に提供してもよい。
【００１２】
これによれば、中継装置は、中継装置と表示装置との接続が実際には切断されていない状況で、中継装置と表示装置との接続が切断及び復旧されたと表示装置に認識させ、表示装置に新たな表示モードリストを提供する。これにより、表示装置との接続がなされたことを送信装置に疑似的に認識させ、送信装置が送信する映像の表示モードを変更させる。その結果、中継装置は、送信装置又は表示装置の設定変更の可否にかかわらず、表示装置の表示モードを切り替える制御をする。
【００１３】
また、前記中継装置は、さらに、ユーザによる操作を受け付ける第一受付部を備え、前記提供部は、前記第一受付部が前記操作を受け付けた場合に、前記疑似切断信号を送信してもよい。
【００１４】
これによれば、中継装置は、ユーザによる操作を契機として、表示装置の表示モードを切り替えることができる。
【００１５】
また、前記中継装置は、さらに、前記送信装置により指定される指定表示モードを示す第三情報を前記送信装置から受け付ける第二受付部を備え、前記生成部は、前記第二受付部が前記第三情報を受け付けた場合に、前記第三情報が示す前記指定表示モードと異なる表示モードが前記所定の表示モードとして前記第一情報から除去された前記第二情報であって、前記指定表示モードを示す前記第二情報を生成し、前記提供部は、前記第二受付部が前記第三情報を受け付けた場合に、前記疑似切断信号を送信してもよい。
【００１６】
これによれば、中継装置は、送信装置から受け付ける指定表示モード以外の表示モードで表示装置が映像を表示することを禁止することができる。また、この制御において、送信装置又は表示装置の設定情報を変更する必要はない。よって、中継装置は、送信装置又は表示装置の設定変更の可否にかかわらず、表示装置が指定する表示モードに、表示装置の表示モードを切り替える制御をする。
【００１７】
また、前記中継装置は、さらに、複数の前記送信装置のうちの一の前記送信装置から、一の前記送信装置の識別子を含む要求信号を受け付ける第三受付部を備え、前記生成部は、前記要求信号に含まれる一の前記送信装置の識別子に予め対応付けられた対応表示モードと異なる表示モードが前記所定の表示モードとして前記第一情報から除去された前記第二情報であって、前記対応表示モードを示す前記第二情報を生成し、前記提供部は、前記第三受付部が前記要求信号を受け付けた場合に、前記疑似切断信号を送信してもよい。
【００１８】
これによれば、中継装置は、複数の送信装置のうち要求信号を送信した送信装置に対応付けられた表示モード以外の表示モードで表示装置が映像を表示することを禁止することができる。また、この制御において、送信装置又は表示装置の設定情報を変更する必要はない。よって、中継装置は、送信装置又は表示装置の設定変更の可否にかかわらず、送信装置に適した表示モードに、表示装置の表示モードを切り替える制御をする。
【００１９】
また、前記中継装置は、さらに、前記第二情報により示される前記１以上の表示モードのうち、前記送信装置が選択した表示モードの映像の映像データを前記通信インタフェースを介して受信し、受信した前記映像データを前記ポートを転送することで中継する中継部を備えてもよい。
【００２０】
これによれば、中継装置は、送信装置が送信する映像データを表示装置へ中継する。これにより、中継装置は、送信装置又は表示装置の設定変更の可否にかかわらず、表示装置の表示モードを制御した上で、制御された表示モードの映像を表示装置に表示させることができる。
【００２１】
また、前記複数の表示モードは、４Ｋ、及び、ＦｕｌｌＨＤを含み、前記所定の表示モードは、４Ｋを含んでもよい。
【００２２】
これによれば、中継装置は、容易に、４Ｋの表示モードで映像を表示し得る表示装置に対して、送信装置又は表示装置の設定変更の可否にかかわらず、４Ｋとは異なる表示モードの映像を表示させることができる。
【００２３】
また、本発明の一態様に係る表示システムは、上記の中継装置と、前記ポートに接続される前記表示装置と、前記通信インタフェースに接続される前記送信装置とを備える。
【００２４】
これによれば、表示システムは、上記中継装置と同様の効果を奏する。
【００２５】
また、本発明の一態様に係る制御方法は、送信装置が送信する映像を表示するための表示装置に、映像伝送規格に従う信号線で接続されるポートと、ネットワークを介して前記送信装置に接続される通信インタフェースとを備える中継装置の制御方法であって、前記表示装置の複数の表示モードを示す第一情報を前記ポートを介して取得する取得ステップと、前記取得ステップが取得した前記第一情報から所定の表示モードを示す情報が除去された、１以上の表示モードを示す第二情報を生成する生成ステップと、前記生成ステップで生成した前記第二情報を前記通信インタフェースを介して前記送信装置に提供する提供ステップとを含む。
【００２６】
これにより、上記中継装置と同様の効果を奏する。
【００２７】
また、本発明の一態様に係るプログラムは、上記の制御方法をコンピュータに実行させるためのプログラムである。
【００２８】
これにより、上記中継装置と同様の効果を奏する。
【００２９】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００３０】
本発明により、中継装置等は、表示装置の表示モードを制御することができる。
【図面の簡単な説明】
【００３１】
【図１】図１は、実施の形態１に係る表示システムの構成を示す説明図である。
【図２】図２は、実施の形態１に係る中継装置の構成を示す説明図である。
【図３】図３は、実施の形態１に係る表示装置が提供する表示モードリストの一例を示す説明図である。
【図４】図４は、実施の形態１に係る中継装置が生成する表示モードリストの一例を示す説明図である。
【図５】図５は、実施の形態１に係る表示システムにおける表示モードの設定処理を示すフロー図である。
【図６】図６は、実施の形態１に係る表示システムにおける表示モードの変更処理を示すフロー図である。
【図７】図７は、実施の形態２に係る中継装置の構成を示す説明図である。
【図８】図８は、実施の形態２に係る送信装置の構成を示す説明図である。
【図９】図９は、実施の形態２に係る管理テーブルの一例を示す説明図である。
【図１０】図１０は、実施の形態２に係る送信装置が実行する処理を示すフロー図である。
【図１１】図１１は、実施の形態２に係る中継装置が実行する処理を示すフロー図である。
【図１２】図１２は、実施の形態３に係る表示システムの構成を示す説明図である。
【図１３】図１３は、実施の形態３に係る管理テーブルの一例を示す説明図である。
【図１４】図１４は、実施の形態３に係る中継装置が実行する処理を示すフロー図である。
【発明を実施するための形態】
【００３２】
以下、実施の形態について、図面を参照しながら具体的に説明する。
【００３３】
以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。なお、同一の構成要素には同一の符号を付し、説明を省略する場合がある。
【００３４】
（実施の形態１）
本実施の形態において、表示装置の設定変更の可否にかかわらず、表示装置の表示モードを制御する中継装置などについて説明する。
【００３５】
図１は、本実施の形態に係る表示システム１の構成を示す説明図である。
【００３６】
図１に示されるように、表示システム１は、中継装置１０と、表示装置２０と、送信装置３０とを備える。表示システム１は、送信装置３０が送信する映像データを中継装置１０によって中継し、表示装置２０によって再生する再生システムである。
【００３７】
中継装置１０と表示装置２０とは、映像伝送規格に従う信号線Ｌで接続されている。ここでは、映像伝送規格がＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）であり、信号線ＬがＨＤＭＩ（登録商標）ケーブルである場合を一例として説明するが、映像伝送規格は、上記のほかにもＤＶＩ（Ｄｉｇｉｔａｌ  Ｖｉｓｕａｌ  Ｉｎｔｅｒｆａｃｅ）又はＤＰ（ＤｉｓｐｌａｙＰｏｒｔ）などであってもよい。
【００３８】
また、中継装置１０と送信装置３０とは、ネットワークＮで通信可能に接続されている。ネットワークＮは、ＩＥＥＥ８０２．１１ａ、ｂ、ｇ、ｎ規格等に適合する無線ＬＡＮ、ＩＥＥＥ８０２．３規格等に適合する有線ＬＡＮ、携帯電話のネットワーク、その他の公衆通信ネットワークである。
【００３９】
表示装置２０は、受信した映像データに基づいて映像を表示する映像表示装置である。表示装置２０が受信する映像データは、送信装置３０が送信し、中継装置１０によって中継された映像データである。映像データが符号化されている場合には、公知の復号技術により復号した上で、映像データに基づく映像を表示する。
【００４０】
表示装置２０は、複数の表示モードで映像を表示し得る。表示モードは、映像を表示する際の解像度、インターレス方式又はプログレッシブ方式の別、又は、リフレッシュレート等のパラメータの組により定められる。表示モードには、具体例として、４Ｋ、ＦｕｌｌＨＤ、及び、ＶＧＡなどが含まれる。４Ｋは、上記のパラメータそれぞれが、３８４０ｘ２１６０、プログレッシブ方式、及び、６０Ｈｚである。ＦｕｌｌＨＤは、上記のパラメータそれぞれが、１９２０ｘ１０８０の解像度、プログレッシブ方式、及び、６０Ｈｚである。また、ＶＧＡは、上記のパラメータそれぞれが、ＶＧＡの解像度、プログレッシブ方式、及び、６０Ｈｚである。ここでは、表示装置２０は、一例として、４Ｋ、ＦｕｌｌＨＤ、及び、ＶＧＡの３つの表示モードで映像を表示できるとする。なお、表示モードは、より簡易に、解像度と、インターレス方式又はプログレッシブ方式の別との組によって定められてもよいし、解像度だけによって定められるものとしてもよい。
【００４１】
表示装置２０は、信号線Ｌによって中継装置１０に接続された場合に、表示装置２０が表示できる１以上の表示モードを示す情報である表示モードリストを信号線Ｌを通じて中継装置１０に提供する。具体的には、表示装置２０が提供する表示モードリストには、４Ｋ、ＦｕｌｌＨＤ、及び、ＶＧＡの３つの表示モードが含まれている。なお、表示モードリストは、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）に相当する。
【００４２】
中継装置１０は、送信装置３０と表示装置２０とのそれぞれに接続され、送信装置３０と表示装置２０との間で情報又はデータを中継する中継装置である。中継装置１０は、表示装置２０から表示モードリストが提供されると、その表示モードリストに基づいて新たな表示モードリストを生成して送信装置３０に提供する。また、中継装置１０は、送信装置３０から映像データを受信すると、受信した映像データを表示装置２０に送信することで、映像データを中継する。また、中継装置１０は、表示装置２０と接続されたときに、接続されたことを示す接続信号を送信装置３０に送信する。また、中継装置１０は、表示装置２０との接続が切断されたときに、切断されたことを示す切断信号を送信装置３０に送信する。また、中継装置１０は、仮想ネットワークドライバ（図示しない）を備えており、送信装置３０からネットワークＮを介して送受信するデータを自身に備わるインタフェース（例えば、ＵＳＢなど）に接続された装置に受け渡す機能を備えていてもよい。ここで、仮想ネットワークドライバとは、送信装置３０から送信され、ネットワークを介して到来したカプセル化されたデータを受信し、当該カプセル化されたデータからデータを抽出する（デカプセル化を行う）ためのドライバである。なお、中継装置１０と送信装置３０は、仮想ネットワークドライバの上位のアプリケーション（仮想接続ツール（図示しない））を備え、中継装置１０と送信装置３０との間でセッションを張る（仮想接続ツールを用いて接続処理する）ことで、装置間でネットワークを介してパケットデータをやり取りすることができる。これにより、送信装置３０が、中継装置１０にローカル接続された装置をあたかも直接に接続および制御しているかのように利用できる。このような機能を用いて、中継装置１０は、表示装置２０から提供された表示モードリストに基づいて新たな表示モードリストを生成して送信装置３０に提供してもよい。
【００４３】
送信装置３０は、映像データを送信する送信装置である。送信装置３０は、中継装置１０を介して表示装置２０に対して映像データを送信する。送信装置３０は、映像データを送信する前に、表示装置２０から表示モードリストを取得し、取得した表示モードリストに含まれる表示モードのうちから一の表示モードを選択し、選択した表示モードに対応する映像データを送信する。送信装置３０は、例えば、取得した表示モードのうちから、解像度がより高い表示モードを優先的に選択し、インターレス方式よりプログレッシブ方式である表示モードを優先的に選択し、又は、リフレッシュレートがより高い表示モードを優先的に選択する。
【００４４】
送信装置３０は、中継装置１０から接続信号を受信すると、中継装置１０に接続された表示装置２０の表示モードリストを取得するための要求信号を送信し、その要求信号に応じて送信される表示モードリストを表示装置２０から取得する。送信装置３０は、例えば、汎用コンピュータ上で映像転送のためのソフトウェアを実行することで実現され、例えば、中継装置１０に搭載された映像処理を行うＩＣチップを制御する技術によって実現され得る。
【００４５】
ここで、表示システム１は、表示装置２０の設定を変更することなく、中継装置１０による処理によって、表示装置２０が表示する映像の表示モードを調整する。これにより、中継装置１０は、表示装置２０の設定変更の可否にかかわらず、表示装置２０の表示モードを制御する。
【００４６】
図２は、本実施の形態に係る中継装置１０の構成を示す説明図である。
【００４７】
図２に示されるように、中継装置１０は、ポート１１と、通信ＩＦ１２と、取得部１３と、生成部１４と、提供部１５と、中継部１６と、受付部１７とを備える。
【００４８】
ポート１１は、映像伝送規格に準ずるポートであり、具体的には、ＨＤＭＩ（登録商標）ポートである。ポート１１は、信号線ＬであるＨＤＭＩ（登録商標）ケーブルによって表示装置２０に接続されており、表示装置２０との間で情報又は映像データを送受信し得る。
【００４９】
通信ＩＦ１２は、ネットワークＮに接続される通信インタフェースである。通信ＩＦ１２は、ネットワークＮを介して送信装置３０に接続されている。通信ＩＦ１２は、送信装置３０との間で情報又は映像データを送受信し得る。
【００５０】
取得部１３は、表示装置２０の複数の表示モードを示す表示モードリスト４１（第一情報に相当）をポート１１を介して取得する。取得部１３が取得する表示モードリスト４１には、表示モードとして、例えば４Ｋ、ＦｕｌｌＨＤ、及び、ＶＧＡの３つの表示モードが含まれている。
【００５１】
生成部１４は、取得部１３が取得した表示モードリスト４１に基づいて新たな表示モードリスト４２を生成する。具体的には、生成部１４は、取得部１３が取得した表示モードリスト４１から所定の表示モードを示す情報が除去された、１以上の表示モードを示す表示モードリスト４２（第二情報に相当）を生成する。生成部１４による表示モードリスト４２の生成は、表示モードリスト４１に含まれる所定の表示モードを示す情報の一部を生成部１４が除去することによってなされてもよい。言い換えれば、生成部１４は、表示モードリスト４１に対して、所定の表示モードを示す情報を除去する修正又は改変をすることによって、表示モードリスト４２を得る。
【００５２】
提供部１５は、生成部１４が生成した表示モードリスト４２を通信ＩＦ１２を介して送信装置３０に提供する。提供部１５による表示モードリスト４２の提供は、送信装置３０からの要求に応じてなされるものであってもよいし、要求の有無にかかわらずなされるものであってもよい。
【００５３】
提供部１５が表示モードリスト４２を送信装置３０に提供すると、送信装置３０は、提供された表示モードリスト４２に含まれる表示モードのうちから一の表示モードを選択し、選択した表示モードの映像データを送信する。生成部１４によって、表示モードリスト４１に含まれる所定の表示モードが除外されて表示モードリスト４２が生成されているので、送信装置３０は、生成部１４が除外した上記所定の表示モードの映像データを送信することが禁止される。
【００５４】
例えば、生成部１４が所定の表示モードとして４Ｋの表示モードが除去された表示モードリスト４２を生成すると、送信装置３０が４Ｋの表示モードの映像データを送信することが禁止される。４Ｋの表示モードの映像データをネットワークＮを介して送信する場合の通信量が比較的多いことで表示装置２０による映像の再生が適切になされない場合には、上記のように４Ｋの表示モードを含まない表示モードリスト４２を生成することで、通信量を抑制することができる。
【００５５】
また、提供部１５は、送信装置３０に提供する表示モードリストを切り替えることもできる。その場合、提供部１５が提供する表示モードリストが切り替えられたことを送信装置３０が認識できるようにするために、疑似切断信号及び疑似接続信号を用いる。ここで、疑似切断信号とは、中継装置１０と表示装置２０との物理的接続が切断されたことを疑似的に示す信号である。また、疑似接続信号とは、中継装置１０と表示装置２０との物理的接続がなされたことを疑似的に示す信号である。なお、疑似切断信号及び疑似接続信号は、それぞれ、切断信号及び接続信号と同じ信号を用いることができるが、中継装置１０と表示装置２０との物理的接続が実際に切断又は接続されているか否かとは無関係に送信される。
【００５６】
具体的には、提供部１５は、（ａ）疑似切断信号を、通信ＩＦ１２を介して送信装置３０に送信し、（ｂ）疑似切断信号の送信後に、疑似接続信号を、通信ＩＦ１２を介して送信装置３０に送信し、（ｃ）疑似接続信号の送信後に、表示モードリスト４１又は４２を、通信ＩＦ１２を介して送信装置３０に提供する。提供部１５が表示モードリスト４１を提供している状態で、上記（ａ）及び（ｂ）を行い、上記（ｃ）で表示モードリスト４２を提供すれば、提供部１５が提供する表示モードリストを、表示モードリスト４１から表示モードリスト４２に切り替えることができる。反対に、提供部１５が表示モードリスト４２を提供している状態で、上記（ａ）及び（ｂ）を行い、上記（ｃ）で表示モードリスト４１を提供すれば、提供部１５が提供する表示モードリストを、表示モードリスト４２から表示モードリスト４１に切り替えることができる。
【００５７】
なお、疑似切断信号は、ポート１１と信号線ＬであるＨＤＭＩ（登録商標）ケーブルとの物理的接続がない（ホット・プラグ検出がない）ことを、提供部１５が送信装置３０に向けて擬似的に送信する信号である。また、疑似接続信号は、ポート１１と信号線ＬであるＨＤＭＩ（登録商標）ケーブルとの物理的接続がある（ホット・プラグ検出がある）ことを、提供部１５が送信装置３０に向けて擬似的に送信する信号である。つまり、提供部１５は、中継装置１０と表示装置２０とのＨＤＭＩ（登録商標）ケーブルによる物理的接続を擬似的に制御できる。
【００５８】
また、中継部１６は、通信ＩＦ１２が受信した映像データをポート１１に転送し、ポート１１から表示装置２０へ送信させる。送信装置３０が送信した映像データは、表示モードリスト４２により示される１以上の表示モードのうち、送信装置３０が選択した表示モードの映像の映像データである。
【００５９】
受付部１７は、ユーザによる操作を受け付けるユーザインタフェースである。具体的には、受付部１７が受け付ける操作は、表示モードを切り替える操作である。例えば、受付部１７は、表示モードを４Ｋから、４Ｋとは異なる表示モード（例えばＦｕｌｌＨＤ）に切り替える操作を受け付けると、提供部１５を制御することによって、提供部１５に疑似切断信号を送信させ、その後、疑似接続信号の送信、及び、表示モードリスト４２の送信を行わせる。また、受付部１７は、表示モードを、４Ｋとは異なる表示モードから４Ｋに切り替える操作を受け付けることもできる。この場合、受付部１７は、上記と同様に疑似切断信号及び疑似接続信号の送信を行わせた後、表示モードリスト４１の送信を行わせる。このようにして、受付部１７は、ユーザによる操作に基づいて、４Ｋと、４Ｋとは異なる表示モードとの間で表示モードを切り替える機能を提供することができる。このような受付部１７の機能部分を第一受付部ともいう。
【００６０】
なお、受付部１７は、ユーザが指定する所定の表示モード（例えば４Ｋなど）の設定を送信装置３０から通信ＩＦ１２を介して受け付けてもよいし、中継装置１０に備わるスイッチ（不図示）を押下することで受け付けてもよい。このように、受付部１７は、表示装置２０に表示させたくない（表示を禁止したい）解像度を予め保持しておくことができる。
【００６１】
図３は、本実施の形態に係る表示装置２０が提供する表示モードリスト４１の一例を示す説明図である。表示モードリスト４１は、表示装置２０が映像の表示に使用し得る表示モードの一覧を示す情報である。
【００６２】
図３に示されるように、表示モードリスト４１は、表示モードとして、４Ｋ、ＦｕｌｌＨＤ、及び、ＶＧＡの３つの表示モードを含んでいる。
【００６３】
図４は、本実施の形態に係る中継装置１０が生成する表示モードリスト４２の一例を示す説明図である。表示モードリスト４２は、表示モードリスト４１から所定の表示モードが除去された表示モードリストである。
【００６４】
図４に示されるように、表示モードリスト４２は、表示モードとして、ＦｕｌｌＨＤ、及び、ＶＧＡの２つの表示モードを含んでいる。これは、表示装置２０が提供した表示モードリスト４１（図３参照）から、所定の表示モードとしての４Ｋの表示モードが除去された表示モードリストである。
【００６５】
図５は、本実施の形態に係る表示システム１における表示モードの制御処理を示すフロー図である。図５に示される一連の処理は、４Ｋ、ＦｕｌｌＨＤ及びＶＧＡの表示モードで映像を表示できる表示装置２０に、４Ｋでの映像の表示を禁止し、ＦｕｌｌＨＤでの映像の表示をさせるときに実行される処理である。なお、図５に示される一連の処理は、受付部１７により、予めユーザから４Ｋでの映像の表示を禁止する指示を受けている前提で説明する。
【００６６】
ステップＳ１２１において、表示装置２０は、中継装置１０に表示モードリスト４１（図３参照）を提供する。
【００６７】
ステップＳ１１１において、中継装置１０の取得部１３は、ステップＳ１２１で表示装置２０が提供した表示モードリスト４１を取得する。
【００６８】
ステップＳ１１２において、中継装置１０の生成部１４は、ステップＳ１１１で取得した表示モードリスト４１から、所定の表示モードが除外された表示モードリスト４２（図４参照）を生成する。生成部１４は、例えば、表示モードリスト４１から４Ｋの表示モードを除外する改変によって表示モードリスト４２を生成する。
【００６９】
ステップＳ１１３において、中継装置１０の提供部１５は、ステップＳ１１２で生成した表示モードリスト４２を通信ＩＦ１２を介して送信装置３０に提供する。
【００７０】
ステップＳ１３１において、送信装置３０は、ステップＳ１１３で中継装置１０が提供した表示モードリスト４２を取得する。
【００７１】
ステップＳ１３２において、送信装置３０は、ステップＳ１３１で取得した表示モードリスト４２に含まれている表示モードのうちから、表示装置２０による表示に使用する一の表示モードを選択する。ここでは、送信装置３０が、表示モードリスト４２に含まれている表示モードのうち、ＦｕｌｌＨＤを選択したとする。
【００７２】
ステップＳ１３３において、送信装置３０は、ステップＳ１３２で選択した表示モードであるＦｕｌｌＨＤの映像データを送信する。
【００７３】
ステップＳ１１４において、中継装置１０の中継部１６は、ステップＳ１３３で送信装置３０が送信したＦｕｌｌＨＤの映像データを通信ＩＦ１２を介して受信し、受信した映像データをポート１１に転送することで、映像データを中継する。
【００７４】
ステップＳ１２２において、表示装置２０は、ステップＳ１１４で中継装置１０が送信した映像データを受信し、映像データに基づいてＦｕｌｌＨＤの映像を表示する。
【００７５】
図５に示される一連の処理により、中継装置１０は、表示装置２０から取得する表示モードリストの改変によって、表示装置２０が表示する映像の表示モードを制御することができる。
【００７６】
図６は、本実施の形態に係る表示システム１における表示モードの変更処理を示すフロー図である。図６に示される一連の処理は、図５の処理によって表示装置２０がＦｕｌｌＨＤの映像を表示している状態において、４Ｋの映像を表示するように表示モードを切り替えるときの処理を示している。
【００７７】
ステップＳ２１１において、中継装置１０は、ユーザによる表示モードの切り替えの操作を受付部１７が受け付けるまで待機する。そして、受付部１７が上記操作を受け付けたら、ステップＳ２１２に進む。
【００７８】
ステップＳ２１２において、中継装置１０の提供部１５は、疑似切断信号を生成して、送信装置３０に送信する。送信装置３０は、疑似切断信号を受信すると、中継装置１０と表示装置２０とのＨＤＭＩ（登録商標）ケーブルによる接続が切断されたと認識する。このとき、実際には、中継装置１０と表示装置２０とのＨＤＭＩ（登録商標）ケーブルによる接続は維持されている。
【００７９】
ステップＳ２１３において、中継装置１０の提供部１５は、疑似接続信号を生成して、送信装置３０に送信する。送信装置３０は、疑似接続信号を受信すると、中継装置１０と表示装置２０とのＨＤＭＩ（登録商標）ケーブルによる接続が復旧されたと認識する。このとき、実際には、中継装置１０と表示装置２０とのＨＤＭＩ（登録商標）ケーブルによる接続は維持されたままである。
【００８０】
ステップＳ２３１において、送信装置３０は、ステップＳ２１３で疑似接続信号を受信したことに応じて、表示モードリストを取得するための要求信号を中継装置１０に送信する。
【００８１】
ステップＳ２１４において、中継装置１０の提供部１５は、ステップＳ２３１で送信装置３０が送信した要求信号を受信し、受信した要求信号に応じて、表示モードリスト４１を提供する。提供される表示モードリスト４１は、ステップＳ１１１で取得部１３が取得したものであってもよいし、表示モードリスト４２に対して所定の表示モードである４Ｋを追加して生成したものであってもよい。送信装置３０は、提供部１５が提供した表示モードリスト４１を取得する。
【００８２】
ステップＳ２３２において、送信装置３０は、ステップＳ２１４で取得した表示モードリスト４１に含まれている表示モードのうちから、表示装置２０による表示に使用する一の表示モードを選択する。ここでは、送信装置３０が、表示モードリスト４１に含まれている表示モードのうち、４Ｋを選択したとする。
【００８３】
ステップＳ２３３において、送信装置３０は、ステップＳ２３２で選択した表示モードである４Ｋの映像データを送信する。
【００８４】
ステップＳ２１５において、中継装置１０の中継部１６は、ステップＳ２３３で送信装置３０が送信した映像データ（４Ｋの映像データ）を通信ＩＦ１２を介して受信し、受信した映像データをポート１１に転送することで、映像データを中継する。
【００８５】
ステップＳ２２１において、表示装置２０は、ステップＳ２１５で中継装置１０が送信した映像データを受信し、映像データに基づいて４Ｋの映像を表示する。
【００８６】
図６に示される一連の処理により、中継装置１０は、ユーザによる操作に基づいて、表示装置２０から取得する表示モードリストを改変するか否かを動的に制御することによって、表示装置２０が表示する映像の表示モードを切り替えることができる。
【００８７】
以上のように、本実施の形態の中継装置は、表示装置が映像の表示に使用し得る複数の表示モードのうち、所定の表示モードを除く表示モードの映像データを送信装置が送信するように制御する。その結果、中継装置は、表示装置が所定の表示モードで映像を表示することを禁止することができる。また、この制御において、送信装置又は表示装置の設定情報を変更する必要はない。このように、中継装置は、送信装置又は表示装置の設定変更の可否にかかわらず、表示装置の表示モードを制御する。
【００８８】
また、中継装置は、中継装置と表示装置との接続が実際には切断されていない状況で、中継装置と表示装置との接続が切断及び復旧されたと表示装置に認識させ、表示装置に新たな表示モードリストを提供する。これにより、表示装置との接続がなされたことを送信装置に疑似的に認識させ、送信装置が送信する映像の表示モードを変更させる。その結果、中継装置は、送信装置又は表示装置の設定変更の可否にかかわらず、表示装置の表示モードを切り替える制御をする。
【００８９】
また、中継装置は、ユーザによる操作を契機として、表示装置の表示モードを切り替えることができる。
【００９０】
また、中継装置は、送信装置が送信する映像データを表示装置へ中継する。これにより、中継装置は、送信装置又は表示装置の設定変更の可否にかかわらず、表示装置の表示モードを制御した上で、制御された表示モードの映像を表示装置に表示させることができる。
【００９１】
また、中継装置は、容易に、４Ｋの表示モードで映像を表示し得る表示装置に対して、送信装置又は表示装置の設定変更の可否にかかわらず、４Ｋとは異なる表示モードの映像を表示させることができる。
【００９２】
（実施の形態２）
本実施の形態において、表示装置の設定変更の可否にかかわらず、表示装置の表示モードを制御する中継装置などについて説明する。特に、表示装置の設定変更を要せずに、表示装置の表示モードを、表示装置が指定する表示モードに制御する技術を説明する。
【００９３】
図７は、本実施の形態に係る中継装置１０Ａの構成を示す説明図である。
【００９４】
図７に示されるように、中継装置１０Ａは、ポート１１と、通信ＩＦ１２と、取得部１３と、生成部１４Ａと、提供部１５と、中継部１６と、受付部１７Ａとを備える。ここで、中継装置１０Ａは、実施の形態１における生成部１４及び受付部１７に代えて、それぞれ、生成部１４Ａ及び受付部１７Ａを備える点で、中継装置１０と異なる。この点について主に説明する。
【００９５】
受付部１７Ａは、送信装置３０により指定される指定表示モードを示す第三情報を含む切替信号を送信装置３０から受け付ける処理部である。例えば、指定表示モードは、４Ｋ又はＦｕｌｌＨＤという表示モードであって、送信装置３０によって決定されて送信されるものである。受付部１７Ａは、第三情報を受け付けたら、受け付けた第三情報を生成部１４Ａに提供する。このような受付部１７Ａの機能部分を第二受付部ともいう。
【００９６】
なお、受付部１７Ａは、実施の形態１の受付部１７の機能をさらに備えていてもよい。
【００９７】
生成部１４Ａは、実施の形態１の生成部１４の機能に加えて、受付部１７Ａが第三情報を受け付けた場合に、第三情報が示す指定表示モードを示す第二情報を生成する。より具体的には、生成部１４Ａは、第三情報が示す指定表示モードと異なる表示モードが所定の表示モードとして前記第一情報から除去された前記第二情報であって、指定表示モードを示す第二情報を生成する。
【００９８】
図８は、本実施の形態に係る送信装置３０の構成を示す説明図である。
【００９９】
図８に示されるように、送信装置３０は、処理部３１と、監視部３２と、通信ＩＦ３３とを備える。
【０１００】
処理部３１は、送信装置３０であるコンピュータ上でアプリケーションに係る処理をする処理部である。処理部３１は、コンピュータのＯＳ（Ｏｐｅｒａｔｉｏｎ  Ｓｙｓｔｅｍ）又はユーザの操作などに基づいてＯＳ上でアプリケーションを動作させ又は停止させる。また、処理部３１は、１以上のアプリケーションを同時並行的に動作させ得る。
【０１０１】
監視部３２は、処理部３１が動作させているアプリケーションを監視し、処理部３１が動作させているアプリケーションを示す情報（アプリケーション情報ともいう）を取得する。なお、監視部３２は、処理部３１が複数のアプリケーションを動作させている場合には、そのうちのアクティブである一のアプリケーションを示す情報をアプリケーション情報として取得する。なお、監視部３２は、アクティブであるアプリケーションが切り替わったタイミングで、新たにアクティブになったアプリケーションを示すアプリケーション情報を取得してもよい。
【０１０２】
また、監視部３２は、処理部３１が動作させているアプリケーションと、そのアプリケーションに係る画像を表示装置２０に表示させるのに適しているとして予め定められている表示モードとを、対応付けて保有している。そして、監視部３２は、処理部３１からアプリケーション情報を取得した場合、取得したアプリケーション情報に対応付けられた表示モードを「指定表示モード」として特定して、その指定表示モードを示す情報（つまり第三情報）を通信ＩＦ３３を介して中継装置１０Ａに提供する。例えば、監視部３２は、表計算アプリケーションがアクティブであることを取得した場合に、「４Ｋ」の表示モードを指定表示モードとして示す第三情報を中継装置１０Ａに提供する。
【０１０３】
通信ＩＦ３３は、ネットワークＮに接続される通信インタフェースである。通信ＩＦ３３は、ネットワークＮを介して中継装置１０Ａに接続されている。
【０１０４】
図９は、本実施の形態に係る管理テーブルの一例である管理テーブルＴ１を示す説明図である。管理テーブルＴ１は、処理部３１が動作させているアプリケーションと、そのアプリケーションに係る画像を表示装置２０に表示させるのに適しているとして予め定められている表示モードとを対応付けたテーブルである。
【０１０５】
例えば、管理テーブルＴ１において、表計算アプリケーションと写真表示アプリケーションとに「４Ｋ」の表示モードが対応付けられている。これらのアプリケーションは、一般に、画像の動きが比較的少なく、また、高精細な表示が好まれるので、「４Ｋ」の表示モードが適しているからである。
【０１０６】
また、例えば、管理テーブルＴ１において、動画表示アプリケーションとゲームアプリケーションとに「ＦｕｌｌＨＤ」の表示モードが対応付けられている。これらのアプリケーションは、一般に、画像の動きが比較的多く、また、高精細な表示よりも動きを重視することが望まれるので、「ＦｕｌｌＨＤ」の表示モードが適しているからである。
【０１０７】
なお、管理テーブルＴ１におけるデフォルトアプリケーションとは、管理テーブルＴ１に記載されている他のアプリケーション（表計算、写真表示、動画表示又はゲーム）以外のアプリケーションを意味する。
【０１０８】
以降において、本実施の形態における送信装置３０及び中継装置１０Ａの処理について説明する。
【０１０９】
図１０は、本実施の形態に係る送信装置３０が実行する処理を示すフロー図である。
【０１１０】
図１０に示されるように、ステップＳ３０１において、監視部３２は、アプリケーション情報を取得する。
【０１１１】
ステップＳ３０２において、監視部３２は、ステップＳ３０１で取得したアプリケーション情報に基づいて、処理部３１が動作させているアプリケーションが切り替えられたか否かを判定する。処理部３１が複数のアプリケーションを動作させている場合には、監視部３２は、そのうちのアクティブであるアプリケーションが切り替わったか否かを判定する。上記判定には、さまざまな方法があり得るが、例えば、監視部３２は、アプリケーション情報を複数回取得している場合には、直前に取得したアプリケーション情報と、今回に取得したアプリケーション情報とが異なるか否かを判定する。アプリケーションが切り替えられたと判定した場合（ステップＳ３０２でＹｅｓ）には、ステップＳ３０３に進み、そうでない場合（ステップＳ３０２でＮｏ）には、ステップＳ３０１に進む。
【０１１２】
ステップＳ３０３において、監視部３２は、ステップＳ３０１で取得したアプリケーション情報に示されるアプリケーションに適した表示モードを、指定表示モードとして取得する。例えば、指定表示モードを取得する際には、監視部３２は、ステップＳ３０１で取得したアプリケーション情報に示されるアプリケーションが管理テーブルＴ１において対応付けられている表示モードを取得することでなされ得る。
【０１１３】
ステップＳ３０４において、監視部３２は、ステップＳ３０２で取得した指定表示モードで表示装置２０が表示するように中継装置１０Ａを制御するための切替信号（第三情報を含む）を生成し、通信ＩＦ３３を介して中継装置１０Ａに送信する。
【０１１４】
図１１は、本実施の形態に係る中継装置１０Ａが実行する処理を示すフロー図である。
【０１１５】
図１１に示されるように、ステップＳ３１１において、受付部１７Ａは、通信ＩＦ１２を介して送信装置３０から切替信号を受信したか否かを判定する。この切替信号は、ステップＳ３０４（図１０参照）で送信装置３０が送信した切替信号である。切替信号を受信したと判定した場合（ステップＳ３１１でＹｅｓ）にはステップＳ３１２に進み、そうでない場合（ステップＳ３１１でＮｏ）にはステップＳ３１１を再び実行する。つまり、受付部１７Ａは、切替信号を受信するまでステップＳ３１１で待機する。
【０１１６】
ステップＳ３１２において、生成部１４Ａは、ステップＳ３１１で受信した切替信号から、指定表示モードを取得する。そして、生成部１４Ａは、表示モードリスト４１から除去する表示モードを、取得した指定表示モードと異なるモードとする。これにより、これ以降に生成部１４Ａは、表示モードリスト４１から、取得した指定表示モードと異なるモードが除去された表示モードリスト４２を生成するようになる。言い換えれば、生成部１４Ａは、取得した指定表示モードを含む表示モードリスト４２を生成するようになる。
【０１１７】
ステップＳ３１３において、中継装置１０Ａは、表示モードを切り替える処理をする。この処理は、図６のステップＳ２１１からステップＳ２１５までの処理と同じである。
【０１１８】
これにより、送信装置３０が指定した指定表示モードで、送信装置３０が送信する画像が表示装置２０で表示される。
【０１１９】
このようにして、中継装置１０Ａは、送信装置３０又は表示装置２０の設定変更を要せずに、送信装置３０が送信する映像の表示モードを、送信装置３０が動作させているアプリケーションに適した表示モードに制御することができる。言い換えれば、中継装置１０Ａは、送信装置３０が動作させているアプリケーションに適した表示モード以外の表示モードで表示装置２０が映像を表示させることを禁止することができる。
【０１２０】
例えば、学校での授業又は講義の際に、教師又は講演者などの使用者が送信装置３０を操作して授業又は講義の内容を示す画像を切り替えながら表示装置２０に表示させる場合、使用者が表示モードの切り替えを意識しなくても、適切な表示モードで上記画像が表示装置２０に表示される利点がある。
【０１２１】
以上のように、中継装置は、送信装置から受け付ける指定表示モード以外の表示モードで表示装置が映像を表示することを禁止することができる。また、この制御において、送信装置又は表示装置の設定情報を変更する必要はない。よって、中継装置は、送信装置又は表示装置の設定変更の可否にかかわらず、表示装置が指定する表示モードに、表示装置の表示モードを切り替える制御をする。
【０１２２】
（実施の形態３）
本実施の形態において、表示装置の設定変更の可否にかかわらず、表示装置の表示モードを制御する中継装置などについて説明する。特に、複数の表示装置のいずれかが中継装置に接続され得るネットワークにおいて、表示装置に応じた表示モードに制御する技術を説明する。
【０１２３】
図１２は、本実施の形態に係る表示システム２の構成を示す説明図である。
【０１２４】
図１２に示されるように、表示システム２は、中継装置１０Ｂと、表示装置２０と、複数の送信装置３０、３０Ａ、・・・、３０Ｎ（以降、送信装置３０等ともいう）とを備える。
【０１２５】
表示システム２は、複数の送信装置３０等のいずれかが送信する映像データを中継装置１０Ｂによって中継し、表示装置２０によって再生する再生システムである。なお、送信装置３０等は、２台以上であればよく、台数は限定されない。また、送信装置３０等のうち表示装置２０に映像データを表示させる送信装置は、動的に変化し得る。
【０１２６】
本実施の形態における中継装置１０Ｂは、実施の形態２における中継装置１０Ａと同様の構成を有する。ただし、生成部１４Ａ及び受付部１７Ａの処理が一部異なる。以降において、本実施の形態における生成部１４Ａ及び受付部１７Ａの処理について説明する。
【０１２７】
本実施の形態に係る受付部１７Ａは、複数の送信装置３０等のうちの一の送信装置から、一の送信装置の識別子を含む要求信号を受け付ける。要求信号とは、送信装置３０等が中継装置１０Ｂを介して表示装置２０に映像データを送信するのに先立って情報のやりとりを行うための信号であり、実施の形態１の要求信号を包含する概念である。要求信号に含まれる送信装置３０等の識別子は、例えば送信装置３０等のＩＰ（Ｉｎｔｅｒｎｅｔ  Ｐｒｏｔｏｃｏｌ）アドレスであり、この場合を例として説明するが、識別子は、送信装置３０等のＭＡＣ（Ｍｅｄｉｕｍ  Ａｃｃｅｓｓ  Ｃｏｎｔｒｏｌ）アドレス、又は、その他、送信装置を一意に識別し得る情報であればどのようなものであってもよい。このような受付部１７Ａの機能部分を第三受付部ともいう。
【０１２８】
本実施の形態に係る生成部１４Ａは、受付部１７Ａが受け付けた要求信号に含まれる一の送信装置の識別子に予め対応付けられた対応表示モードを示す第二情報を生成する。より具体的には、生成部１４Ａは、受付部１７Ａが受け付けた要求信号に含まれる一の送信装置の識別子に予め対応付けられた対応表示モードと異なる表示モードが所定の表示モードとして第一情報から除去された第二情報であって、対応表示モードを示す第二情報を生成する。
【０１２９】
図１３は、本実施の形態に係る管理テーブルの一例である管理テーブルＴ２を示す説明図である。
【０１３０】
管理テーブルＴ２は、送信装置３０等の識別子と、送信装置３０等が出力する画像を表示装置２０に表示させるのに適しているとして予め定められている表示モードを対応付けたテーブルである。
【０１３１】
図１３では、一例として、送信装置３０のＩＰアドレスが１９２．１６８．０．１であり、送信装置３０ＡのＩＰアドレスが１９２．１６８．０．２であり、送信装置３０ＮのＩＰアドレスが１９２．１６８．０．Ｎである場合を示している。
【０１３２】
例えば、管理テーブルＴ２において、ＩＰアドレスが１９２．１６８．０．１〜３である送信装置に「４Ｋ」の表示モードが対応付けられている。例えば、一般に、画像の動きが比較的少ない画像又は高精細な画像を表示させることが想定される送信装置では、「４Ｋ」の表示モードが適しているからである。
【０１３３】
また、管理テーブルＴ２において、ＩＰアドレスが１９２．１６８．０．４〜Ｎである送信装置に「ＦｕｌｌＨＤ」の表示モードが対応付けられている。例えば、一般に、画像の動きが比較的多い画像、又は、高精細な表示よりも動きが重視される画像を表示させることが想定される送信装置では、「ＦｕｌｌＨＤ」の表示モードが適しているからである。
【０１３４】
以降において、本実施の形態における中継装置１０Ｂの処理について説明する。
【０１３５】
図１４は、本実施の形態に係る中継装置１０Ｂが実行する処理を示すフロー図である。
【０１３６】
ステップＳ４１１において、受付部１７Ａは、複数の送信装置３０等のうちのいずれかの送信装置から要求信号を受け付けたか否かを判定する。要求信号を受け付けたと判定した場合（ステップＳ４１１でＹｅｓ）には、ステップＳ４１２に進み、そうでない場合（ステップＳ４１１でＮｏ）には、再びステップＳ４１１を実行する。つまり、受付部１７Ａは、要求信号を受け付けるまでステップＳ４１１で待機する。
【０１３７】
ステップＳ４１２において、受付部１７Ａは、ステップＳ４１１で受け付けた要求信号から、送信装置の識別子としてのＩＰアドレスを取得する。
【０１３８】
ステップＳ４１３において、受付部１７Ａは、ステップＳ４１２で取得したＩＰアドレスに対応付けられた表示モードを取得する。例えば、表示モードを取得する際には、受付部１７Ａは、ステップＳ４１２で取得した送信装置のＩＰアドレスに示されるアプリケーションが管理テーブルＴ２において対応付けられている表示モードを取得することでなされ得る。
【０１３９】
ステップＳ４１４において、生成部１４Ａは、表示モードリスト４１から除去する表示モードを、ステップＳ４１３で取得した表示モードとする。これにより、これ以降に生成部１４Ａは、表示モードリスト４１から、取得した表示モードと異なるモードが除去された表示モードリスト４２を生成するようになる。言い換えれば、生成部１４Ａは、取得した表示モードを含む表示モードリスト４２を生成するようになる。
【０１４０】
ステップＳ４１５において、中継装置１０Ｂは、表示モードを切り替える処理をする。この処理は、図６のステップＳ２１１からステップＳ２１５までの処理と同じである。
【０１４１】
これにより、複数の送信装置３０等のうち、要求信号を送信した送信装置に適した表示モードで、送信装置３０が送信する画像が表示装置２０で表示される。
【０１４２】
例えば、学校での利用を想定するときに、送信装置３０等のそれぞれは利用のされ方がある程度定められている。例えば、美術に関する授業に多く用いられるコンピュータである送信装置３０は、静止画である写真又はイラストの表示などのための画像を表示装置２０に送信するために用いられることが多い。一方、体育に関する授業に多く用いられるコンピュータである送信装置３０は、動画の表示などのための画像を表示装置２０に送信するために用いられることが多い。このような場合、使用者が表示モードの設定を意識しなくても、適切な表示モードで上記画像が表示装置２０に表示される利点がある。
【０１４３】
以上のように、中継装置は、複数の送信装置のうち要求信号を送信した送信装置に対応付けられた表示モード以外の表示モードで表示装置が映像を表示することを禁止することができる。また、この制御において、送信装置又は表示装置の設定情報を変更する必要はない。よって、中継装置は、送信装置又は表示装置の設定変更の可否にかかわらず、送信装置に適した表示モードに、表示装置の表示モードを切り替える制御をする。
【０１４４】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【０１４５】
以上、本発明の中継装置等について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１４６】
本発明は、表示装置の表示モードを制御する中継装置に適用され得る。具体的には、ネットワークを介して送信装置に接続され、送信装置からネットワークを介して受信した映像データを表示装置に表示させる中継装置に適用され得る。
【符号の説明】
【０１４７】
１、２    表示システム
１０、１０Ａ、１０Ｂ    中継装置
１１    ポート
１２、３３    通信ＩＦ
１３    取得部
１４、１４Ａ    生成部
１５    提供部
１６    中継部
１７、１７Ａ    受付部
２０    表示装置
３０、３０Ａ、３０Ｎ    送信装置
３１    処理部
３２    監視部
４１、４２    表示モードリスト
Ｌ    信号線
Ｎ    ネットワーク
Ｔ１、Ｔ２    管理テーブル
【図１】
2019213189.tif 000003
【図２】
2019213189.tif 000004
【図３】
2019213189.tif 000005
【図４】
2019213189.tif 000006
【図５】
2019213189.tif 000007
【図６】
2019213189.tif 000008
【図７】
2019213189.tif 000009
【図８】
2019213189.tif 000010
【図９】
2019213189.tif 000011
【図１０】
2019213189.tif 000012
【図１１】
2019213189.tif 000013
【図１２】
2019213189.tif 000014
【図１３】
2019213189.tif 000015
【図１４】
2019213189.tif 000016